(57)【要約】【課題】民生用の装置でも鮮明な立体観察が行える立体映像観察装置を提供する。【解決手段】横並び映像４を２台のプロジェクタ１Ｌ、１Ｒから左右方向で１／２画面だけ変位させ、互いに内側に位置する左目映像Ｌと右目映像Ｒだけが合成された状態でスクリーンＳに表示される。合成されない外側の左目映像Ｌと右目映像ＲはスクリーンＳから外された状態で捨てられる。合成された左目映像Ｌと右目映像Ｒは偏光メガネ５で観察する。予め一画面化した横並び映像４を、２台のプロジェクタ１Ｌ、１ＲからそれぞれスクリーンＳに向けて投射するため、民生用の装置でも完全な同期がとれ、鮮明な立体観察が行える。【選択図】        図１
2010169740.tif 000002
【特許請求の範囲】
【請求項１】
左目映像と右目映像を左右に半分ずつ並べた状態で一画面化した横並び映像を出力する１台の映像出力装置と、
映像出力装置から出力された横並び映像をそれぞれ同時にスクリーンに向けて投射する２台のプロジェクタと、
各プロジェクタから投射される光をそれぞれ透過させる互いに異なる偏光方向を有する一対の偏光フィルタと、
スクリーンに表示された映像の観察用で右目側と左目側がそれぞれ前記偏光フィルタに対応した偏光特性を有する偏光メガネと、
を備えた立体映像観察装置であって、
前記２台のプロジェクタからスクリーンに投射される横並び映像が左右方向で１／２画面だけ変位しており、重複した範囲に位置する一方のプロジェクタからの左目映像と他方のプロジェクタからの右目映像だけが合成された状態でスクリーンに表示されることを特徴とする立体映像観察装置。
【発明の詳細な説明】
【技術分野】
【０００１】
本発明は立体映像観察装置に関するものである。
【背景技術】
【０００２】
従来の立体映像観察装置としては、例えば図２に示すようなものが知られている。２台のプロジェクタ３０Ｌ、３０Ｒには、それぞれＶＴＲやＰＣ等の映像出力装置３１Ｌ、３１Ｒが接続されている。これらの映像出力装置３１Ｌ、３１Ｒには、予めカメラで撮影された左目映像Ｌと右目映像Ｒが別個に収納され、それを再生時に対応するプロジェクタ３０Ｌ、３０Ｒへ出力して、プロジェクタ３０Ｌ、３０Ｒから左目映像Ｌと右目映像ＲがそれぞれスクリーンＳへ向けて投射されるようになっている。投射された左目映像Ｌと右目映像ＲはスクリーンＳにて完全に重なった状態で合成されるようになっている。
【０００３】
プロジェクタ３０Ｌ、３０Ｒの前面には、それぞれ偏光方向が互いに相違する偏光フィルタ３２Ｌ、３２Ｒが設けられ、左目映像Ｌと右目映像Ｒはこの偏光フィルタ３２Ｌ、３２Ｒを透過することにより、異なった偏光としてスクリーンＳに投射される。
【０００４】
左目映像Ｌと右目映像ＲはスクリーンＳで合成されても、両眼視差分だけ映像が僅かに相違しているため、そのまま肉眼で見ただけでは立体的に見えない。そのために、観察者は偏光メガネ３３を用いる。
【０００５】
偏光メガネ３３は、前記偏光フィルタ３２Ｌ、３２Ｒに対応した偏光方向を有しており、偏光メガネ３３の左目側では、左側のプロジェクタ３０Ｌから投射された左目映像Ｌしか見えず、逆に偏光メガネ３３の右目側では、右側のプロジェクタ３０Ｒから投射された右目映像Ｒしか見えないようになっている。従って、この偏光メガネ３３を介してスクリーンＳ上で合成された左目映像Ｌと右目映像Ｒを見ることにより、立体的な観察が行えるようになっている（例えば、特許文献１参照）。
【先行技術文献】
【特許文献】
【０００６】
【特許文献１】特開２００７−３２８０６７号公報
【発明の概要】
【発明が解決しようとする課題】
【０００７】
しかしながら、このような従来の技術にあっては、プロジェクタ３０Ｌ、３０Ｒだけでなく、映像出力装置３１Ｌ、３１Ｒも２台必要するが、民生用の装置は同期がとれないため、再生時間差が生じてしまう。そのため、左目映像Ｌと右目映像Ｒが時間経過につれて僅かにずれてしまい、鮮明な立体観察が行えない。放送局等で使用するプロ用の装置は、同期がとれるが高価なシステムとなってしまう。
【０００８】
本発明はこのような従来の技術に着目してなされたものであり、民生用の装置でも鮮明な立体観察が行える立体映像観察装置を提供するものである。
【課題を解決するための手段】
【０００９】
本発明は、左目映像と右目映像を左右に半分ずつ並べた状態で一画面化した横並び映像を出力する１台の通常の映像出力装置と、映像出力装置から出力された横並び映像を２分配してそれぞれ同時にスクリーンに向けて投射する２台のプロジェクタと、各プロジェクタから投射される光をそれぞれ透過させる互いに異なる偏光方向を有する一対の偏光フィルタと、スクリーンに表示された映像の観察用で右目側と左目側がそれぞれ前記偏光フィルタに対応した偏光特性を有する偏光メガネと、を備えた立体映像観察装置であって、前記２台のプロジェクタからスクリーンに投射される横並び映像が左右方向で１／２画面だけ変位しており、互いに内側に位置する一方のプロジェクタからの左目映像と他方のプロジェクタからの右目映像だけが合成された状態でスクリーンに表示されることを特徴とする。
【発明の効果】
【００１０】
本発明によれば、偏光投射方式を利用したものであり、左目映像と右目映像を左右に半分ずつ並べた状態で一画面化した横並び映像を、２台のプロジェクタからそれぞれスクリーンに向けて投射するようにした。そして、投射する横並び映像を左右方向で１／２画面だけ変位させており、互いに内側に位置する一方のプロジェクタからの左目映像と他方のプロジェクタからの右目映像だけが合成された状態でスクリーンに表示されるようになっている。各プロジェクタから投射された左目映像と右目映像のうち、合成されない外側のものはスクリーンから外された状態で捨てられる。合成された左目映像と右目映像は偏光メガネで観察することにより、立体的に観察することができる。予め一画面化した横並び映像を、２台のプロジェクタからそれぞれスクリーンに向けて投射するため、民生用の装置でも完全な同期がとれ、鮮明な立体観察が行える。一般に市販されている民生用の映像出力装置やプロジェクタだけを使用して構成でき、高価な専用の光学的アダプタ等を必要としないため、家庭や会社での実施が容易である。また、映像出力装置が１台で済むため、装置の小型を図ることができる。
【図面の簡単な説明】
【００１１】
【図１】本発明の一実施形態に係る立体映像観察装置を示す概略図。
【図２】従来の立体映像観察装置を示す概略図。
【発明を実施するための形態】
【００１２】
本発明の好適な実施形態を図１を用いて説明する。２台のプロジェクタ１Ｌ、１ＲはスクリーンＳ側に向けて水平方向に並べて設置されている。プロジェクタ１Ｌ、１Ｒの前面には偏光フィルタ２Ｌ、２Ｒがそれぞれ設置されている。この偏光フィルタ２Ｌ、２Ｒはそれぞれ偏光方向が相違しており、透過する光を相違した偏光にする。なお、偏光特性がプロジェクタ１Ｌ、１Ｒに付与されて各プロジェクタから出力される映像の偏光が相互に交差するように構成しても良く、この場合には偏光フィルタを備えたプロジェクタと等価である。
【００１３】
プロジェクタ１Ｌ、１Ｒは１台の映像出力装置３に接続されている。映像出力装置３はパーソナルコンピュータやＶＴＲ装置などである。この映像出力装置３から同一の映像信号が分配されて２台のプロジェクタ１Ｌ、１Ｒに対して同時に出力される。
【００１４】
この映像出力装置３には、予めカメラで撮影された横並び映像４が保管されている。この横並び映像４は、いわゆるサイドバイサイドと言われているもので、左目映像Ｌと右目映像Ｒをハイビジョンなどの横長アスペクト（１６：９）を利用して左右に半分ずつ並べて一画面化したものである。２台のカメラで撮影した互いに両眼視差を有する左目映像Ｌと右目映像Ｒを同期させた状態で横並び配置したものである。尚、２台のカメラを使用する代わりに、専用の光学的アタッチメントを用いた１台のカメラにより撮影して、左目映像Ｌと右目映像Ｒを横並び状態で最初から得るようにしても良い。
【００１５】
この映像出力装置３から出力された横並び映像４は２台のプロジェクタ１Ｌ、１ＲからスクリーンＳに向けて投射される。プロジェクタ１Ｌ、１Ｒの前面には従来同様に偏光フィルタ２Ｌ、２Ｒが設けられている。プロジェクタ１Ｌ、１Ｒから偏光フィルタ２Ｌ、２Ｒを介して映像を投射する点は従来と同様だが、この実施形態のプロジェクタ１Ｌ、１Ｒは、その向き及び配置に特徴がある。
【００１６】
すなわち、２台のプロジェクタ１Ｌ、１Ｒから投射されてスクリーンＳに投射される横並び映像４が左右方向で１／２画面だけ変位しており、図１の実施形態では２台のプロジェクタ１Ｌ、１Ｒの光軸が相互に離反する（外側を向く）傾向に配置されている。したがって、２台のプロジェクタ１Ｌ、１Ｒから投射された左目映像Ｌと右目映像Ｒのうち、一方のプロジェクタの左目映像Ｌと他方のプロジェクタの右目映像Ｒとが重複した状態でスクリーンＳに投射される。図１では互いに内側の左目映像Ｌと右目映像Ｒだけが合成される。外側の左目映像Ｌと右目映像ＲはスクリーンＳから外れた状態で使用されない。なお、２台のプロジェクタ１Ｌ、１Ｒの光軸を相互に近接して交差する（内側を向く）傾向に配置してもよい。
【００１７】
使用されない映像（光束）はスクリーンＳから外れた状態でそのまま捨てても良いし、スクリーンＳの周囲に映像が表示されない暗幕に当てた状態で捨てても良い。また、使用されない映像の光束のみを遮蔽するための窓をプロジェクタ１Ｌ、１Ｒの前面に設けてもよい。
【００１８】
スクリーンＳに合成された状態で投射された左目映像Ｌと右目映像Ｒは、偏光メガネ５を利用することにより立体的に観察することができる。すなわち、偏光メガネ５はプロジェクタ１Ｌ、１Ｒの前面の偏光フィルタ２Ｌ、２Ｒと対応しており、偏光メガネ５の左目側は左側のプロジェクタ１Ｌの偏光フィルタ２Ｌと同じ偏光特性を有し、スクリーンＳに合成された左目映像Ｌと右目映像Ｒのうち、左目映像Ｌだけを透過して観察することができる。偏光メガネ５の右目側は逆に右目映像Ｒだけを透過して観察することができる。従って、この偏光メガネ５でスクリーンＳに表示された左目映像Ｌと右目映像Ｒを見ることにより、両眼視差を有する左目映像Ｌと右目映像Ｒによる立体映像を見ることができる。
【００１９】
この実施形態によれば、予め一画面化した横並び映像４を、２台のプロジェクタ１Ｌ、１ＲからそれぞれスクリーンＳに向けて投射するため、民生用の装置でも完全な同期がとれ、鮮明な立体観察が行える。一般に市販されている民生用の映像出力装置やプロジェクタだけを使用して構成でき、高価な専用の光学的アダプタ等を必要としないため、家庭や会社での実施が容易である。また、映像出力装置３が１台で済むため、装置の小型を図ることができる。
【００２０】
以上の実施形態によれば、プロジェクタ１Ｌ、１Ｒを横並び配置する例を示したが、プロジェクタの映像の上下左右方向が一致していればよく上下に重ねた状態で配置しても良い。
【００２１】
また、偏光フィルタ２Ｌ、２Ｒをプロジェクタ１Ｌ、１Ｒの前面に配置する例を示したが、プロジェクタ１Ｌ、１Ｒの内部に設けても良い。たとえば液晶プロジェクタの場合は液晶と一体に組み合わせて設けても良い。すなわち、液晶パネル自体が偏光特性を有するため、プロジェクタ１Ｌ、１Ｒが相互に偏光が直交する液晶パネルを採用することにより偏光フィルター２Ｌ、２Ｒを外的に付加することなく偏光フィルタを備えたプロジェクタを実現することができる。
【００２２】
更に、スクリーンＳの表側から左目映像Ｌ及び右目映像Ｒを投射する例を示したが、スクリーンＳの種類によっては、裏側から投射して、それを表側から観察しても良い。スクリーンＳの裏側から投射する場合は、左目映像Ｌ及び右目映像Ｒの左右をそれぞれ電子回路により反転させた状態で投射する。
【符号の説明】
【００２３】
１Ｌ，１Ｒ  プロジェクタ
２Ｌ，２Ｒ  偏光フィルタ
３  映像出力装置
４  横並び映像
５  偏光メガネ
Ｓ  スクリーン
【図１】
2010169740.tif 000003
【図２】
2010169740.tif 000004